(57)【要約】【課題】換気通路を構成する下框構成材の内側を、簡単に清掃することができる浴室建具のガラリ構造および浴室建具を提供することを課題とする。【解決手段】両縦框２４，２４間において、上側下框構成材３１と下側下框構成材３２との間隙に換気通路を３５構成すると共に、上側下框構成材３１と下立上げ片４９の上端部との間に脱衣室側換気口６１を、下側下框構成材３２と上垂下片４２の下端部との間に浴室側換気口６３をそれぞれ構成した浴室建具１のガラリ構造において、上側下框構成材３１は、相互に別部材で構成された構成材本体８６と上垂下片４２とを有し、上垂下片４２は、構成材本体８６および両縦框２４，２４の少なくとも一方に対し、換気通路３５を浴室Ａ側に開放し得るように取り付けられている。【選択図】  図７
2005042306.tif 000002
【特許請求の範囲】
【請求項１】
建具枠に装着された建具本体の框体の下部にあって、
浴室側に上垂下片を有する上側下框構成材と、脱衣室側に下立上げ片を有する下側下框構成材とを上下に配置し、
両縦框間において、前記上側下框構成材と前記下側下框構成材との間隙に換気通路を構成すると共に、前記上側下框構成材と前記下立上げ片の上端部との間に脱衣室側換気口を、前記下側下框構成材と前記上垂下片の下端部との間に浴室側換気口をそれぞれ構成した浴室建具のガラリ構造において、
前記上側下框構成材は、相互に別部材で構成された構成材本体と前記上垂下片とを有し、
前記上垂下片は、前記構成材本体および前記両縦框の少なくとも一方に対し、前記換気通路を浴室側に開放し得るように可動可能に取り付けられていることを特徴とする浴室建具のガラリ構造。
【請求項２】
前記上垂下片は、前記構成材本体に対し、上端部を中心に浴室側に回動可能に取り付けられていることを特徴とする請求項１に記載の浴室建具のガラリ構造。
【請求項３】
前記上垂下片は、前記構成材本体に対し、着脱可能に取り付けられていることを特徴とする請求項１に記載の浴室建具のガラリ構造。
【請求項４】
前記上垂下片には、前記換気通路に臨むエアフィルタが設けられていることを特徴とする請求項１、２または３に記載の浴室建具のガラリ構造。
【請求項５】
建具枠に装着された建具本体の框体の下部にあって、
浴室側に上垂下片を有する上側下框構成材と、脱衣室側に下立上げ片を有する下側下框構成材とを上下に配置し、
両縦框間において、前記上側下框構成材と前記下側下框構成材との間隙に換気通路を構成すると共に、前記上側下框構成材と前記下立上げ片の上端部との間に脱衣室側換気口を、前記下側下框構成材と前記上垂下片の下端部との間に浴室側換気口をそれぞれ構成した浴室建具のガラリ構造において、
前記下側下框構成材は、相互に別部材で構成された構成材本体と前記下立上げ片とを有し、
前記下立上げ片は、前記構成材本体および前記両縦框の少なくとも一方に対し、前記換気通路を脱衣室側に開放し得るように可動可能に取り付けられていることを特徴とする浴室建具のガラリ構造。
【請求項６】
建具枠に装着された建具本体の框体の下部にあって、
浴室側に上垂下片を有する上側下框構成材と、浴室側に中間垂下片を有すると共に脱衣室側に中間立上げ片を有する中間下框構成材と、脱衣室側に下立上げ片を有する下側下框構成材とを上下方向に配置し、
両縦框間において、前記上側下框構成材と前記中間下框構成材との間隙に第１換気通路を、前記中間下框構成材と前記下側下框構成材との間隙に第２換気通路をそれぞれ構成すると共に、
前記上側下框構成材と前記中間立上げ片の上端部との間および前記中間下框構成材と前記下立上げ片の上端部との間にそれぞれ第１脱衣室側換気口および第２脱衣室側換気口をそれぞれ構成し、且つ前記中間下框構成材と前記上垂下片の下端部との間および前記下側下框構成材と前記中間垂下片の下端部との間に第１浴室側換気口および第２浴室側換気口をそれぞれ構成した浴室建具のガラリ構造において、
前記中間下框構成材は、前記両縦框に対し、前記第１換気通路を浴室側に且つ前記第２通気通路を脱衣室側に開放し得るように可動可能に取り付けられていることを特徴とする浴室建具のガラリ構造。
【請求項７】
前記中間下框構成材は、前記両縦框に対し、浴室側または脱衣室側に辷出し可能に取り付けられていることを特徴とする請求項６に記載の浴室建具のガラリ構造。
【請求項８】
前記中間下框構成材は、前記両縦框に対し、着脱可能に取り付けられていることを特徴とする請求項６に記載の浴室建具のガラリ構造。
【請求項９】
前記中間下框構成材には、前記第１換気通路および前記第２換気通路にそれぞれ臨む一対のエアフィルタが設けられていることを特徴とする請求項６、７または８に記載の浴室建具のガラリ構造。
【請求項１０】
前記エアフィルタが、抗菌フィルタで構成されていることを特徴とする請求項４または９に記載の浴室建具のガラリ構造。
【請求項１１】
請求項１ないし１０のいずれかに記載の浴室建具のガラリ構造を備えたことを特徴とする浴室建具。
【発明の詳細な説明】
【０００１】
【発明の属する技術分野】
本発明は、浴室の出入口として設けられる浴室ドア、浴室折戸、浴室引戸等に設けられる浴室建具のガラリ構造およびこれを備えた浴室建具に関するものである。
【０００２】
【従来の技術】
従来、この種の浴室建具のガラリ構造として、浴室ドアの下框に換気ガラリを作り込んだものが知られている（例えば、特許文献１参照）。このガラリ構造では、浴室側に垂下片を形成した最上位の下框構成材と、脱衣室側に立上げ片を形成した最下位の下框構成材との中間に、垂下片、立上げ片およびこれらを連結する傾斜片から成る隔壁様の複数の下框構成材を設け、これら下框構成材の各間隙に断面クランク状に延びる複数の換気通路を構成している。
また、上記中間の複数の下框構成材を回動自在に構成して、ダンパー機能を持たせた換気ガラリも知られている（例えば、特許文献２参照）。
【０００３】
【特許文献１】
特開平１０−１５３０５７号公報（第２頁、図２）
【特許文献２】
特開昭６３−１２５７９３号公報（図３）
【０００４】
【発明が解決しようとする課題】
ところで、この種の浴室建具では、換気通路を構成する各下框構成材の内側、すなわち、各垂下片や各立上げ片の内側に、飛散した水や泡などが付着し、またこれに換気エアーの塵埃等が付着して汚れを生ずる。特に、上記前者のガラリ構造では、垂下片や立上げ片が固定的に設けられているため、建具自体を分解しない限りその内側を良好に清掃することができず、垂下片や立上げ片の内側の汚れが、カビの発生や臭気の原因となる問題があった。同様に、上記後者のガラリ構造でも、垂下片と立上げ片との重なり部分の内側は清掃することができず、カビの発生や臭気の原因となる問題があった。
【０００５】
本発明は、換気通路を構成する下框構成材の内側を、簡単に清掃することができる浴室建具のガラリ構造およびこれを備えた浴室建具を提供することを課題としている。
【０００６】
【課題を解決するための手段】
本発明の浴室建具のガラリ構造は、建具枠に装着された建具本体の框体の下部にあって、浴室側に上垂下片を有する上側下框構成材と、脱衣室側に下立上げ片を有する下側下框構成材とを上下に配置し、両縦框間において、上側下框構成材と下側下框構成材との間隙に換気通路を構成すると共に、上側下框構成材と下立上げ片の上端部との間に脱衣室側換気口を、下側下框構成材と上垂下片の下端部との間に浴室側換気口をそれぞれ構成した浴室建具のガラリ構造において、上側下框構成材は、相互に別部材で構成された構成材本体と上垂下片とを有し、上垂下片は、構成材本体および両縦框の少なくとも一方に対し、換気通路を浴室側に開放し得るように可動可能に取り付けられていることを特徴とする。
【０００７】
この構成によれば、上側下框構成材の構成部品である上垂下片が、構成材本体および両縦框の少なくとも一方に対し、換気通路を浴室側に開放し得るように可動可能に取り付けられているため、上垂下片を可動させて換気通路を浴室側に開放することにより、換気通路を構成する上側下框構成材（上垂下片を含む）の内側および下側下框構成材の内側が、清掃可能になる。
【０００８】
この場合、上垂下片は、構成材本体に対し、上端部を中心に浴室側に回動可能に取り付けられていることが、好ましい。
【０００９】
この構成によれば、構成材本体に対し上垂下片を浴室側に回動させて、換気通路を浴室側に開放することにより、上垂下片は元より上側下框構成材の内側および下側下框構成材の内側が、清掃可能になる。
【００１０】
同様に、上垂下片は、構成材本体に対し、着脱可能に取り付けられていることが、好ましい。
【００１１】
この構成によれば、構成材本体に対し上垂下片を離脱させて、換気通路を浴室側に開放することにより、上垂下片は元より上側下框構成材の内側および下側下框構成材の内側が、清掃可能になる。
【００１２】
これらの場合、上垂下片には、換気通路に臨むエアフィルタが設けられていることが、好ましい。
【００１３】
この構成によれば、エアフィルタを介して浴室内のエアーを清浄化することができる。また、換気通路を浴室側に開放したときに、上垂下片の清掃と併せてエアフィルタを清掃することができる。
【００１４】
本発明の他の浴室建具のガラリ構造は、建具枠に装着された建具本体の框体の下部にあって、浴室側に上垂下片を有する上側下框構成材と、脱衣室側に下立上げ片を有する下側下框構成材とを上下に配置し、両縦框間において、上側下框構成材と下側下框構成材との間隙に換気通路を構成すると共に、上側下框構成材と下立上げ片の上端部との間に脱衣室側換気口を、下側下框構成材と上垂下片の下端部との間に浴室側換気口をそれぞれ構成した浴室建具のガラリ構造において、下側下框構成材は、相互に別部材で構成された構成材本体と下立上げ片とを有し、下立上げ片は、構成材本体および両縦框の少なくとも一方に対し、換気通路を脱衣室側に開放し得るように可動可能に取り付けられていることを特徴とする。
【００１５】
この構成によれば、下側下框構成材の構成部品である下立上げ片が、構成材本体および両縦框の少なくとも一方に対し、換気通路を脱衣室側に開放し得るように可動可能に取り付けられているため、下立上げ片を可動させて換気通路を脱衣室側に開放することにより、換気通路を構成する上側下框構成材の内側および下側下框構成材（下立上げ片を含む）の内側が、清掃可能になる。
【００１６】
本発明の他の浴室建具のガラリ構造は、建具枠に装着された建具本体の框体の下部にあって、浴室側に上垂下片を有する上側下框構成材と、浴室側に中間垂下片を有すると共に脱衣室側に中間立上げ片を有する中間下框構成材と、脱衣室側に下立上げ片を有する下側下框構成材とを上下方向に配置し、両縦框間において、上側下框構成材と中間下框構成材との間隙に第１換気通路を、中間下框構成材と下側下框構成材との間隙に第２換気通路をそれぞれ構成すると共に、上側下框構成材と中間立上げ片の上端部との間および中間下框構成材と下立上げ片の上端部との間にそれぞれ第１脱衣室側換気口および第２脱衣室側換気口をそれぞれ構成し、且つ中間下框構成材と上垂下片の下端部との間および下側下框構成材と中間垂下片の下端部との間に第１浴室側換気口および第２浴室側換気口をそれぞれ構成した浴室建具のガラリ構造において、中間下框構成材は、両縦框に対し、第１換気通路を浴室側に且つ第２通気通路を脱衣室側に開放し得るように可動可能に取り付けられていることを特徴とする。
【００１７】
この構成によれば、中間垂下片および中間立上げ片を有する中間下框構成材が、両縦框に対し、第１換気通路を浴室側に且つ第２通気通路を脱衣室側に開放し得るように可動可能に取り付けられているため、中間下框構成材を可動させて第１・第２換気通路を開放することにより、換気通路を構成する上側下框構成材の内側、下側下框構成材の内側および中間下框構成材が、清掃可能になる。
【００１８】
この場合、中間下框構成材は、両縦框に対し、浴室側または脱衣室側に辷出し可能に取り付けられていることが、好ましい。
【００１９】
この構成によれば、両縦框に対し中間下框構成材を浴室側または脱衣室側に辷出させて、第１・第２換気通路を開放することにより、上側下框構成材の内側、下側下框構成材の内側および中間下框構成材が、清掃可能になる。
【００２０】
同様に、中間下框構成材は、両縦框に対し、着脱可能に取り付けられていることが、好ましい。
【００２１】
この構成によれば、両縦框に対し中間下框構成材を離脱させて、第１・第２換気通路を開放することにより、上側下框構成材の内側、下側下框構成材の内側および中間下框構成材が、清掃可能になる。
【００２２】
これらの場合、中間下框構成材には、第１換気通路および第２換気通路にそれぞれ臨む一対のエアフィルタが設けられていることが、好ましい。
【００２３】
この構成によれば、一対のエアフィルタを介して浴室内のエアーを清浄化することができる。また、第１・第２換気通路を浴室側に開放したときに、中間下框構成材と併せてエアフィルタを清掃することができる。
【００２４】
なお、上記のエアフィルタが、抗菌フィルタで構成されていることが、好ましい。
【００２５】
本発明の浴室建具は、上記した浴室建具のガラリ構造を備えたことを特徴とする。
【００２６】
この構成によれば、通気通路を構成する下框構成材を簡単に清掃することできるため、衛生的な浴室建具を提供することができる。
【００２７】
【発明の実施の形態】
以下、添付図面を参照して、本発明の一実施形態に係る浴室建具のガラリ構造を浴室折戸に適用した場合について説明する。この浴室は、脱衣室との間に段差を無くしたバリアフリー設計となっており、ユニットバスで構成した浴室と脱衣室との間の出入口に、浴室折戸が取り付けられている。図１は浴室折戸の浴室側から見た姿図であり、同図に示すように、浴室折戸１は、出入口開口部を構成する折戸枠（建具枠）２と、折戸枠２に開閉自在に支持された扉体３（３ａ，３ｂ）とで構成されている。
【００２８】
扉体３は、左扉体（建具本体）３ａと、右扉体（建具本体）３ｂと、これらを突き合わせた状態で中折れ自在に連結する連結部材４とで構成されており、左扉体３ａの戸尻側を中心に右扉体３ｂを折戸枠２に沿ってスライドさせながら浴室Ａ内に折り込むことで開放され、また逆の手順で閉塞される。折戸枠２は、それぞれアルミニウムの形材等で構成した上枠１１、下枠１２および両縦枠１３，１３を枠組みして成り、ユニットバスに対し水密に接合されている。
【００２９】
左右の各扉体３ａ，３ｂは、それぞれアルミニウムの形材等で構成した上框２１、下框２２、中桟２３および両縦框２４，２４を框組みすると共に、この框体２０に樹脂製の上下のパネル体２５，２５を組み込んで構成されている。中桟２３には、脱衣室Ｂ側に引手部（図示省略）が一体に形成され、浴室Ａ側に引手を兼ねるタオル掛け（右扉体３ｂのみ）２６が取り付けられている。右扉体３ｂの連結側の縦框２４にはラッチ機構が組み込まれ、また左扉体３ａの連結側の縦框２４には閉塞ロック機構２７が組み込まれている。そして、各扉体３ａ，３ｂの框体２０の下部である各下框２２の部分には、換気ガラリ２８が作り込まれている。
【００３０】
次に、下框２２の部分に作り込んだ換気ガラリ２８のガラリ構造について説明する。図２に示すように、下框２２は、両外端部を両縦框２４，２４に支持された上側構成材３１、中間構成材３２および下側構成材３３を有し、これら構成材３１，３２，３３は、いずれもアルミニウムの形材等で構成されている。上側構成材３１と中間構成材３２との間隙には上換気通路（第１換気通路）３５が形成され、また中間構成材３２と下側構成材３３との間隙には下換気通路（第２換気通路）３６が形成されている。そして、詳細は後述するが、中間構成材３２が両縦框２４，２４に対し、浴室Ａ側に辷出し形式で開放移動するようになっている。
【００３１】
上側構成材３１は、その本体を為す上向き「Ｃ」字状断面のパネル取付部４１と、パネル取付部４１の浴室Ａ側下端から長く下垂した上垂下片４２と、パネル取付部４１の脱衣室Ｂ側下端から短く下垂した上開口縁片４３と、で一体に形成されている。パネル取付部４１は、内外の両側片４１ａ，４１ａとこれを連結する下片４１ｂとから成り、その内側に構成した呑込み溝４４に上記パネル体２５が装着されるようになっている。パネル取付部４１の浴室Ａ側の側片４１ａと上垂下片４２とは面一に配設され、これと平行に位置するパネル取付部４１の脱衣室Ｂ側の側片４１ａと上開口縁片４３とは面一に配設されている。
【００３２】
中間構成材３２は、上下中間に位置する傾斜片４７と、傾斜片４７の浴室Ａ側端から長く下垂した中間垂下片４８と、傾斜片４７の脱衣室Ｂ側端から長く立ち上がった中間立上げ片４９と、で一体に形成されている。傾斜片４７から中間立上げ片４８に連なる部位は水返しの機能を有しており、傾斜片４７は、浴室Ａ側に下り傾斜となるように形成されている。また、中間立上げ片４８の内側には一対の上突起５０，５０が形成され、同様に中間垂下片４８の内側には一対の下突起５１，５１が形成されている。一方、詳細は後述するが、中間構成材３２の両外端部には一対の支持枠３７，３７が設けられており、中間構成材３２は、この両支持枠３７，３７を介して両縦框２４，２４に対し辷出し可能に取り付けられている。
【００３３】
下側構成材３３は、その本体を為す中空部５４と、中空部５４の脱衣室Ｂ側端から長く立ち上がる下立上げ片５５と、中空部５４の浴室Ａ側下端から下方に延びる浴室側ボトム片５６と、中空部５４の脱衣室Ｂ側下端から下方に延びる脱衣室側ボトム片５７と、で一体に形成されている。中空部５４の上壁５４ａは、中間構成材３２の傾斜片４７と同様に浴室Ａ側に傾斜しており、これに連なる下立上げ片５５と共に水返しの機能を有している。中空部５４の上下中間位置には隔壁５８が設けられ、この隔壁５８にはビスホール５８ａが形成されている。同様に、浴室側ボトム片５６の先端部にも、ビスホール様のシール取付部５６ａが形成されている。
【００３４】
上述したように、上側構成材３１と中間構成材３２との内側空間には、上換気通路３５が構成され、且つ中間構成材３２と下側構成材３３との内側空間には、下換気通路３６が構成されている。また、上側構成材３１の上開口縁片４３と中間構成材３２の中間立上げ片４９との間隙には、上脱衣室側換気口（第１脱衣室側換気口）６１が形成され、中間構成材３２の傾斜片（の脱衣室側）４７と下側構成材３３の下立上げ片５５との間隙には、下脱衣室側換気口（第２脱衣室側換気口）６２が形成されている。同様に、上側構成材３１の上垂下片４２と中間構成材３２の傾斜片（の浴室側）４７との間隙には、上浴室側換気口（第１浴室側換気口）６３が形成され、中間構成材３２の中間垂下片４８と下側構成材３３の中空部（の浴室側上端）５４との間隙には、下浴室側換気口（第２浴室側換気口）６４が形成されている。
【００３５】
一方、図３ないし図５に示すように、上記の各支持枠３７は、ほぼ中間構成材３２の断面形状に倣った外観形状を有しており、樹脂等で形成されている。各支持枠３７の内側（内端面）には、上下方向に略クランク形状に延在する差込み溝７１が形成されると共に、上下一対の横掛止片７２が形成されている。この差込み溝７１には、中間構成材３２の長手方向の外端部が差し込まれ、この状態で上側の横掛止片７２が中間立上げ片４９の一対の上突起５０，５０間に、且つ下側の横掛止片７２が中間垂下片４８の一対の下突起５１，５１間にそれぞれ掛止されている。また、各支持枠３７の外側（外端面）には、上下の両端部に上ガイドピン７３および下ガイドピン７４がそれぞれ埋め込まれている。そして、外側に突出したこの上下両ガイドピン７３，７４が、各縦框２４の内側に取り付けたガイドアタッチメント３８にスライド自在に係合している。
【００３６】
図３、図５および図６に示すように、ガイドアタッチメント３８は樹脂等で一体に形成されており、縦框２４の呑込み溝（図示省略：下框２２の呑込み溝４４と類似形状）に内接されるベース部７７と、ベース部７７から突出すると共に上側構成材３１と下側構成材３３で囲まれた領域に嵌合するアタッチメント本体７８と、ベース部７７の脱衣室Ｂ側上端から上方に延びる上フック部７９と、ベース部７７の脱衣室Ｂ側中間位置に形成した下フック部８０とを有している。
【００３７】
ガイドアタッチメント３８は、そのベース部７７が縦框２４の呑込み溝に嵌入し、アタッチメント本体７８が上垂下片４２および下立上げ片５５に挟み込まれることにより、前後左右が位置決め固定され、アタッチメント本体７８の上端がパネル取付部４１に当接し且つ上フック部７９がパネル取付部４１の側片（脱衣室側）４１ａにフッキングすると共に、アタッチメント本体７８の下端が中空部５４の上壁５４ａに当接し且つ下フック部８０が下立上げ片５５にフッキングすることにより、上下位置決め固定されている（図６参照）。
【００３８】
アタッチメント本体７８の正面には、その上半部の脱衣室Ｂ寄り位置に上ガイドピン７３が係合するガイド溝８１が形成され、下部に下ガイドピン７４が係合する長溝８２が形成され、さらにガイド溝８１と長溝８２との間に支持枠３７が着座するようにして係合する係合突部８３が形成されている。ガイド溝８１は、上下方向に幾分傾斜して延在しており、これに係合する上ガイドピン７３の上下方向のスライド移動をガイドする。長溝８２は、上下に延在し、その上部に浴室Ａ側に開放した開放溝部８２ａを有している。係合突部８３は、中間構成材３２の傾斜片４７および中間垂下片４８に倣った形状に形成され、支持枠３７を脱衣室Ｂ側から受け得るようになっている。
【００３９】
図６に示すように、中間構成材３２の両外端部には、それぞれ支持枠３７が取り付けられており、両ガイドアタッチメント３８に装着した状態では、各支持枠３７の屈曲部分が各ガイドアタッチメント３８の係合突部８３に当接し、且つ上ガイドピン７３がガイド溝８１の上端よりわずかに下位置に、且つ下ガイドピン７４が長溝８２の下端位置にそれぞれ係合している。この状態から、中間構成材（および両支持枠３７）３２を浴室Ａ側に辷出すように開放する場合には、先ず中間構成材３２を幾分上方に移動させた後（慳貪の要領）、下ガイドピン７４を長溝８２の開放溝部８２ａから浴室Ａ側に離脱させる。次に、中間構成材３２を下動させながら上ガイドピン７３を中心に上方に回動（開放）させてゆく。このとき、上ガイドピン７３は、回動しながらガイド溝８１内を下方にスライド移動してゆき、中間構成材３２が完全開放した状態でガイド溝８１の下端部に達する。このように、中間構成材３２が浴室Ａ側に辷出し形式で開放される。また、逆の手順で、中間構成材３２は、両ガイドアタッチメント３８に装着される。
【００４０】
このように、中間構造材３２を両縦枠２４に対し、辷出し形式で移動させて上下両換気通路３５，３６を開放するようにしているため、中間構造材３２を浴室Ａ側に開放するとことで、上垂下片４２や下立上げ片５５が露出し、その清掃が可能になる。また、中間構造材３２自身も下框２４から浴室Ａ側に大きく持ち出されるため、その清掃が可能になる。なお、ガイド溝８１および長溝８２を上下逆に設けることにより、中間構造材３２を脱衣室Ｂ側に辷出すよう構成することもできる。また、中間構造材３２を、両縦枠（両ガイドアタッチメント３８）２４に対し着脱自在に構成してもよい。言うまでもないが、中間構造材が複数ある場合には、これら複数の中間構造材が辷出し可能に或いは着脱可能（可動可能）に構成されていることが、好ましい。
【００４１】
次に、図７を参照して、本発明の第２実施形態に係るガラリ構造について説明する。この実施形態では、同図（ａ）の第１変形例および同図（ｂ）の第２変形例のいずれにあっても、上垂下片４２Ａ（４２）および中間垂下片４８Ａ（４８）が浴室Ａ側に回動して、上下両換気通路３５，３６を開放するようになっている。
【００４２】
図７（ａ）の第１変形例では、上側構造材３１が、相互に別体で構成された構造材本体８６と上垂下片４２Ａとから成り、上垂下片４２Ａが、その上端部で構造材本体８６に回動自在に取り付けられている。構造材本体８６は、上記のパネル取付部４１および上開口縁片４３に加え、パネル取付部４１から下方に延びるＪ字片８７を、一体に有している。一方、上垂下片４２Ａの上端部は、Ｊ字片８７の外周面に添う摺動円弧片８８と、Ｊ字片８７の内側に係合する「へ」字状の抜止め片８９とを、一体に有している。すなわち、構造材本体８６のＪ字片８７に対し、上垂下片４２Ａの摺動円弧片８８および抜止め片８９が回動自在に係合している。
【００４３】
同様に、中間構造材４８Ａは、相互に別体で構成された構造材本体９０と中間垂下片４８Ａとから成り、中間垂下片４８Ａが、その上端部で構造材本体９０に回動自在に取り付けられている。構造材本体９０は、上記の傾斜片４７および中間立上げ片４９に加え、傾斜片４７の浴室Ａ側に連なるＪ字片８７を、一体に有している。一方、中間垂下片４８Ａは、その上端部に、Ｊ字片８７の外周面に添う摺動円弧片８８と、Ｊ字片８７の内側に係合する「へ」字状の抜止め片８９とを、一体に有している。この場合も、構造材本体９０のＪ字片８７に対し、中間垂下片４８Ａの摺動円弧片８８および抜止め片８９が回動自在に係合している。
【００４４】
上垂下片４２Ａおよび中間垂下片４８Ａは、特に図示しないが、その下端部で両縦框２４にスナップイン形式で掛止固定されるようになっており、この状態から下部を、浴室Ａ側に跳ね上げるようにして回動させることにより、上垂下片４２Ａは上換気通路３５を浴室Ａ側に開放し、また中間垂下片４８Ａは上換気通路３６を浴室Ａ側に開放する。なお、この実施形態の上垂下片４２Ａおよび中間垂下片４８Ａは、小口側からＪ字片８７に装着される構造となっている。また、スナップイン形式の掛止金具に代えて、ユリアネジ等でネジ止めするようにしてもよい。
【００４５】
図７（ｂ）の第２変形例では、上側構造材３１は上記の第１変形例と同一の構造を有している。一方、中間構造材３２は、その構造材本体９１が傾斜片４７および中間立上げ片４９に加え、傾斜片４７の浴室Ａ側に連なる角Ｊ字片９２を、一体に有している。一方、中間垂下片４８Ａは、その上端部に、角Ｊ字片９２の下面に添う水平突片９３と、角Ｊ字片９２の内側に係合する逆「Ｌ」字状の抜止め片９４とを、一体に有している。すなわち、構造材本体９１の角Ｊ字片９２に対し、中間垂下片４８Ａの水平突片９３および抜止め片９４が回動自在に係合している。この場合も、上記と同様に、上垂下片４２Ａおよび中間垂下片４８Ａは、その下部を、浴室Ａ側に跳ね上げるようにして回動させることにより、上垂下片４２Ａは上換気通路３５を開放し、また中間垂下片４８Ａは上換気通路３６を開放する。
【００４６】
次に、図８および図９を参照して、本発明の第３実施形態に係るガラリ構造について説明する。この実施形態では、図８（ａ）の第１変形例、図８（ｂ）のむ第２変形例および図９の第３変形例のいずれにあっても、上垂下片４２Ｂ（４２）および中間垂下片４８Ｂ（４８）が浴室Ａ側に離脱して、上下両換気通路３５，３６を開放するようになっている。
【００４７】
図８（ａ）の第１変形例では、上側構造材３１が、相互に別体で構成された構造材本体９６と上垂下片４２Ｂとから成り、上垂下片４２Ｂが、その上端部で構造材本体９６に着脱自在に取り付けられている。構造材本体９６は、上記のパネル取付部４１および上開口縁片４３に加え、パネル取付部４１から下方に延びる小Ｊ字片９７を、一体に有している。一方、上垂下片４２Ｂの上端部は、小Ｊ字片９７の外周面に添う小円弧片９８と、小Ｊ字片９７の内側に係合する小係止片９９とを、一体に有している。すなわち、構造材本体９６の小Ｊ字片９７に対し、上垂下片４２Ｂの小円弧片９８および小係止片９９が、浴室Ａ側に大きく回動させた状態で着脱可能に係合している。
【００４８】
同様に、中間構造材４８Ｂは、相互に別体で構成された構造材本体１０１と中間垂下片４８Ｂとから成り、中間垂下片４８Ｂが、その上端部で構造材本体１０１に回動自在に取り付けられている。構造材本体１０１は、上記の傾斜片４７および中間立上げ片４９に加え、傾斜片４７の浴室Ａ側に連なる小Ｊ字片９７を、一体に有している。一方、中間垂下片４８Ｂは、その上端部に、小Ｊ字片９７の外周面に添う小円弧片９８と、小Ｊ字片９７の内側に係合する小係止片９９とを、一体に有している。この場合も、構造材本体１０１の小Ｊ字片９７に対し、中間垂下片４８Ｂの小円弧片９８および小係止片９９が、浴室Ａ側に大きく回動させた状態で着脱可能に係合している。
【００４９】
上記と同様に、上垂下片４２Ｂおよび中間垂下片４８Ｂは、特に図示しないが、両縦框２４にスナップイン形式で掛止固定されるようになっており、この状態から下部を、浴室Ａ側にいったん跳ね上げるようにして回動させてから、離脱させることにより、上垂下片４２Ｂは上換気通路３５を浴室Ａ側に開放し、また中間垂下片４８Ｂは上換気通路３６を浴室Ａ側に開放する。
【００５０】
図８（ｂ）の第２変形例では、上側構造材３１の上垂下片４２Ｂが、その上端部で構造材本体１０３に着脱自在に取り付けられている。上記と同様に、構造材本体１０３は、パネル取付部４１から下方に屈曲して延びる挟込み片１０４を、一体に有している。一方、上垂下片４２Ｂの上端部は、挟込み片１０４とパネル取付部４１との間に差し込まれる差込み突片１０５と、挟込み片１０４の下面に当接すると共に上開口縁片４３の下端内向き部位４３ａに掛止される掛止突片１０６とを、一体に有している。すなわち、構造材本体１０３の挟込み片１０４および上開口縁片４３に対し、上垂下片４２Ｂの差込み突片１０５および掛止突片１０６が着脱自在に係合している。この場合、上垂下片４２Ｂは、両縦框２４にスナップイン形式で掛止固定されるようになっており、この状態から浴室Ａ側に引き抜くように離脱させることにより、上換気通路３５を開放する。
【００５１】
また、中間構造材３２は、その中間垂下片４８Ｂが、その上端部で構造材本体１０８に回動自在に取り付けられている。構造材本体１０８は、傾斜片４７の浴室Ａ側に連なる上向き片１０９および中間立上げ片４９の基部に突設した内向き傾斜突片１１０を、一体に有している。一方、中間垂下片４８Ｂは、その上端部に、傾斜片４７の下側に当接する当接片１１１と、上向き片１０９の上端に当接すると共に内向き傾斜突片１１０および傾斜片４７の部分に係合する傾斜クランク状片１１２とを、一体に有している。すなわち、構造材本体１０８の上向き片１０９、傾斜片４７および内向き傾斜突片１１０に対し、中間垂下片４８Ｂの当接片１１１および傾斜クランク片状１１２が着脱自在に係合している。
【００５２】
この場合も、中間垂下片４８Ｂは、両縦框２４にスナップイン形式で掛止固定されるようになっており、この状態から浴室Ａ側に跳ね上げるように幾分回動させた後、離脱させることにより、下換気通路３６を浴室側に開放する。なお、この場合も、スナップイン形式の掛止金具に代えて、ユリアネジ等を用いることができる。
【００５３】
図９の第３変形例では、上側構造材３１の上垂下片４２Ｂが、その上端部で構造材本体１１３に押縁形式で着脱自在に取り付けられている。上記と同様に、構造材本体１１３は、パネル取付部４１の浴室Ａ側から下方に短く延びる第１内向き係止片１１４と、脱衣室Ｂ側から下方に短く延びると共に上開口縁片４３に代わる第２内向き係止片１１５を、一体に有している。一方、上垂下片４２Ｂの上端部は、第１内向き係止片１１４に係止する第１外向き係止片１１６と、第１外向き係止片１１５の下方から脱衣室Ｂ側に略クランク上に延び、第２内向き係止片１１５に係止する第２外向き係止片１１７とを、一体に有している。すなわち、構造材本体１１３の第１内向き係止片１１４および第２内向き係止片１１５に対し、上垂下片４２Ｂの第１外向き係止片１１６および第２外向き係止片１１７が、いわゆる押縁形式で着脱自在に係止している。この場合には、上垂下片４２Ｂの下部を脱衣室Ｂ側に押し、第１内向き係止片１１４から第１外向き係止片１１６を離脱させてから、上垂下片４２Ｂを浴室Ａ側に引き出すようにする。これにより、上換気通路３５を開放する。また、逆の手順で上垂下片４２Ｂを構造材本体１１３に装着する。
【００５４】
同様に、中間構造材３２は、その中間垂下片４８Ｂが、その上端部で構造材本体１１８に回動自在に取り付けられている。構造材本体１１８は、傾斜片４７に相当する平坦部１１９に、その浴室Ａ側から下方に短く延びる第１内向き係止片１１４と、脱衣室Ｂ側から下方に短く延びる第２内向き係止片１１５を、一体に有している。一方、中間垂下片４８Ｂの上端部は、第１内向き係止片１１４に係止する第１外向き係止片１１６と、第１外向き係止片１１５の下方から脱衣室Ｂ側に略クランク上に延び、第２内向き係止片１１５に係止する第２外向き係止片１１７とを、一体に有している。すなわち、構造材本体１１８の第１内向き係止片１１４および第２内向き係止片１１５に対し、中間垂下片４８Ｂの第１外向き係止片１１６および第２外向き係止片１１７が、いわゆる押縁形式で着脱自在に係止している。この場合も、中間垂下片４８Ｂの下部を脱衣室Ｂ側に押し、第１内向き係止片１１４から第１外向き係止片１１６を離脱させてから、中間垂下片４８Ｂを浴室Ａ側に引き出すようにする。これにより、下換気通路３６を開放する。また、逆の手順で中間垂下片４８Ｂを構造材本体１１８に装着する。なお、これら他の実施形態において、上垂下片４２や中間垂下片４８に代えて、中間立上げ片４９や下立上げ片５５を可動（回動或いは着脱）とする構成としてもよい。
【００５５】
次に、図１０を参照して、本発明の第４実施形態に係るガラリ構造について説明する。この実施形態では、中間構造材３２に、上換気通路３５に臨む上エアフィルタ１２１および下換気通路３６に臨む下エアフィルタ１２２がそれぞれ設けられている。中間構造材３２の中間立上げ片４９には、その外端部に上向きに延びる一対の上フィルタ取付片（図示省略）が取り付けられており、この一対の上フィルタ取付片に上エアフィルタ１２１が取り付けられている。すなわち、上エアフィルタ１２１は、内側から上脱衣室側換気口６１を覆うように設けられている。同様に、中間構造材３２の中間垂下片４８には、その外端部に下向きに延びる一対の下フィルタ取付片（図示省略）が取り付けられており、この一対の下フィルタ取付片に下エアフィルタ１２２が取り付けられている。すなわち、下エアフィルタ１２２は、内側から下浴室側換気口６４を覆うように設けられている。
【００５６】
上エアフィルタ１２１および下エアフィルタ１２２は、例えばポリプロピレン（ＰＰ）の不織布に銀または酸化チタンを含浸させた抗菌フィルタで構成されており、それぞれ上フィルタ取付片および下フィルタ取付片に張設されている。そして、上下両エアフィルタ１２１，１２２を取り付けた中間構造材３２は、両縦框２４に固定した一対の取付ブロック１２５に着脱自在に取り付けられている。すなわち、清掃のために中間構造材３２を、取付ブロック１２５から離脱させて取り出すことにより、上下両エアフィルタ１２１，１２２の清掃或いは交換が可能になる。なお、上エアフィルタ１２１を、中間立上げ片４９の中間位置から内向き（浴室側に向く）に設け、且つ下エアフィルタ１２２を、中間垂下片４８の中間位置から内向き（脱衣室側に向く）に設けるようにしてもよい。
【００５７】
なお、本願発明のガラリ構造は、上垂下片や中間垂下片等を、扉体自体を分解することなく可動（回動或いは着脱）可能に構成されていればよく、回動構造或いは着脱構造は、自由である。また、上記の浴室折戸の他、浴室ドアや浴室引戸等にも適用できることは、いうまでもない。
【００５８】
【発明の効果】
以上のように、浴室建具のガラリ構造および浴室建具によれば、上側下框構成材の上垂下片や上側下框構成材の下立上げ片、或いは中間下框構成材が、換気通路を開放し得るように取り付けられているため、換気通路を開放することにより、上側下框構成材、中間下框構成材および下側下框構成材が、その内側まで清掃可能になる。したがって、浴室建具を衛生的な状態に維持することができる。
【図面の簡単な説明】
【図１】本発明の第１実施形態に係る浴室折戸の浴室側から見た姿図である。
【図２】第１実施形態に係るガラリ構造を表した下框の縦断面図である。
【図３】下框の中間構造材廻りの斜視図である。
【図４】支持枠の正面図（ａ）および側面図（ｂ）である。
【図５】ガイドアタッチメントおよび支持枠の分解斜視図である。
【図６】第１実施形態に係るガラリ構造において、中間構造材の可動状態を表した縦断面図である。
【図７】第２実施形態に係るガラリ構造を表した下框の縦断面図である。
【図８】第３実施形態に係るガラリ構造を表した下框の縦断面図である。
【図９】第３実施形態の第３変形例に係るガラリ構造を表した下框の縦断面図である。
【図１０】第４実施形態に係るガラリ構造を表した下框の縦断面図である。
【符号の説明】
１  浴室折戸、２  折戸枠、３  扉体、３ａ  左扉体、３ｂ  右扉体、２０  框体、２２  下框、２４  縦框、２８  換気ガラリ、３１  上側構造材、３２  中間構造材、３３  下側構造材、３５  上換気通路、３６  下換気通路、３７  支持枠、３８  ガイドアタッチメント、４２，４２Ａ，４２Ｂ  上垂下片、４８，４８Ａ，４８Ｂ  中間垂下片、４９  中間立上げ片、５５  下立上げ片、６１上脱衣室側換気口、６２  下脱衣室側換気口、６３  上浴室側換気口、６４  下浴室側換気口、８６，９１，９６，１０１，１０８、構成材本体、１２１  上エアフィルタ、１２２  下エアフィルタ、Ａ  浴室、Ｂ  脱衣室
【図１】
2005042306.tif 000003
【図２】
2005042306.tif 000004
【図３】
2005042306.tif 000005
【図４】
2005042306.tif 000006
【図５】
2005042306.tif 000007
【図６】
2005042306.tif 000008
【図７】
2005042306.tif 000009
【図８】
2005042306.tif 000010
【図９】
2005042306.tif 000011
【図１０】
2005042306.tif 000012